(57)【要約】【目的】 美容と健康の増進と、病気の治療などの目的に叶うものとしてや，ブラックシリカが最適であることを見出した結果、これらを各種装身具部材や装身具に利用し、当該装身具による装飾効果としての精神的効果に併せて、理学的効果をも奏して身体の健康と美容の増進としての価値を備えさせ得たこと。【構成】 ブラックシリカ（黒鉛珪石）とポリウレタン樹脂のように熱硬化性樹脂を混合し、この混合物を軟化させ、鋳型に流し込み適宜の温度で焼結すること。【選択図】  図１
2007196019.tif 000002
【特許請求の範囲】
【請求項１】
ブラックシリカ（黒鉛珪石）とポリウレタン樹脂のような熱硬化性樹脂を混合し、この混合物を軟化させ、鋳型に流し込み適宜の温度で焼結することを特徴とした装身具。
【請求項２】
ブラックシリカ（黒鉛珪石）とポリウレタン樹脂のような熱硬化性樹脂を混合し、この混合物を軟化させ鋳型に流し込み適宜の温度で焼結することを特徴とした装身具の製造方法。
【発明の詳細な説明】
【技術分野】
【０００１】
本発明は、少なくとも身体と接する指輪やブレスレットなどの、アクセサリーの改良に関するもので、詳しくはブラックシリカ（黒鉛珪石）の持つ特有の効果が発揮出来るようにした、装身具とその製造方法に関するものである。
【背景技術】
【０００２】
さて、上記の指輪やブレスレットなどのアクセサリーは、従来単に装飾としての価値しかなかったが、本願発明者はそれを装飾としての価値と、それを使用することによって健康の促進という価値を見いだしたのである。
【０００３】
即ち、上記のブラックシリカは、６〜１４ミクロンの遠赤外線を放射することが知られおり、かかるブラックシリカを装身具とすることで、腰痛や肩こりやリューマチや、関節炎や神経痛やアトピー性皮膚炎などの潰瘍痛等の緩和や治療に最適で、健康グッズとして優れた効果がある。
【発明の開示】
【発明が解決しようとする課題】
【０００４】
そこで本発明者は、美容と健康の増進と、病気の治療などの目的に叶うものとして、ブラックシリカが最適であることを見出した結果、これらを各種装身具部材や装身具に利用し、当該装身具による装飾効果としての精神的効果に併せて、理学的効果をも奏して身体の健康と美容の増進を計ろうとするものである。
【０００５】
本発明の他の目的は、自律神経を調整し細胞の活性化を助け、新陳代謝を活発にする装身具を提供することである。
【０００６】
他に本発明の目的は、比較的安価なブラックシリカを用いた装身具を容易に製造する方法を提唱することにある。
【０００７】
他に本発明の目的は、上記のブラックシリカの効果をさらに増長させ、かつ身体に装着した場合かかるブラックシリカが、離散したり剥離したりしないようにした装身具部材を提供すること及びその製造方法を提唱することにある。
【０００８】
本発明の他の目的は、上記装身具本体が指輪，ネックレス，イヤリング，ブレスレット，アンクレット、ピアスなど各種各所に取付けられる装身具に造形されることである。
【課題を解決するための手段】
【０００９】
しかして、本発明装身具の特徴としては、ブラックシリカとポリウレタン樹脂のような熱硬化性樹脂を混合し、この混合物を軟化させ、鋳型に流し込み適宜の温度で焼結したことである。
【００１０】
本発明装身具製造方法の特徴としては、ブラックシリカとポリウレタン樹脂のような熱硬化性樹脂を混合し、この混合物を軟化させ鋳型に流し込み適宜の温度で焼結することである。
【発明の効果】
【００１１】
総じて本発明の効果は、ブラックシリカを装身具に利用できたもので、当該装身具による装飾品としての精神的効果にあわせて、素材のブラックシリカの遠赤外線放射効果に基づく理学的効果おも奏して、身体の健康と美容の増進をも計ることができたのである。
【発明を実施するための最良の形態】
【００１２】
本発明の一実施例として、ブラックシリカを用いて自律神経を調整し細胞の活性化を助け、新陳代謝を活発にする装身具の製造方法について述べる。
【００１３】
まずブラックシリカを、粒子径が５μｍの粉末体に加工した。熱硬化性樹脂としてはポリウレタン樹脂を用意した。
図１で（１）は押出し機で、（２）は該押出し機（１）内に設けられ適当な加熱手段を持ったスクリューであり、（３）は該スクリュー（２）の一方方向に設けられたホッパ、（４）はスクリュー（２）の他方に設けられたノズルである。
【００１４】
而して、ブラックシリカとポリウレタン樹脂は、ホッパ（３）から押出し機（１）内に投入することにより、約５０度℃の温度条件下でスクリュー（２）によって、混合撹拌されつつノズル（４）より、図２に示すように棒状の混合物材料（Ａ）が押出される。
【００１５】
而して、完成された混合物材料は、指輪やブレスレット，イヤリング，アンクレット，ピアスなど各種の基材の装飾用途に従ってその適宜個所に貼着，熔着，嵌挿などの手段で装着されるものであるが、この場合かかる装身具部材を使用するときは身体に直接触れるように構成すれば、上記ブラックシリカの秀れた効果が身体に作用するのである。
【００１６】
次に図２乃至６で本発明をブレスレット（Ｇ）に応用した例を述べると、この混合物材料（Ａ）を必要に応じて研磨加工するなどした後、図３のように一定に切断すると共に、その軸線上に透孔を穿った適宜の部品材料、ここでは棒状部品（Ｂ）を作る。
【００１７】
ついで上記棒状部品（Ｂ）とは別に、適宜の手段で図４のような球状部品（Ｃ）を作り、図５に示すように上記棒状部品（Ｂ）と球状部品（Ｃ）に紐などを通し、仮令えばブレスレット（Ｇ）などに仕上げるものである。
【００１８】
また、図６は、連続させた棒状部品（Ｂ）または球状部品（Ｃ）だけでなく、その間に金や銀などの貴金属部材（Ｅ）を配したものである。
【００１９】
なお、ブラックシリカの粒子径を上記実施例では５μｍとしたが、これは０．１〜５０μｍの範囲で任意に選択できるものである。また熱硬化性樹脂の実施例としては、前述したポリウレタン樹脂の他にフェノール系樹脂やエポキシ樹脂等を用いることができる。
【００２０】
而して、完成された装身具部材は、指輪やブレスレット，イヤリング，アンクレット，ピアスなど各種の基材の装飾用途に従ってその適宜個所に貼着，熔着，嵌挿などの手段で装着されるものであるが、この場合かかる装身具部材を使用するときは身体に直接触れるように構成すれば、上記ブラックシリカの秀れた効果が身体に作用するのであるが、特に図５乃至図６のように、この装飾具を嵌め込む腕の長手方向となるよう、この装身具を２段あるいはそれ以上の複数段とすれば、さらにその効果が増大すること勿論である。
【図面の簡単な説明】
【００２１】
【図１】本発明を実施する為の押出し機の説明図である
【図２】押出された装身具材料の一部切欠側面図である
【図３】完成された丸棒状の装身具部材の側面図である
【図４】完成された球状の装身具部材の側面図である
【図５】完成された装身具の一例の斜視図である
【図６】完成された装身具の他の例の斜視図である
【符号の説明】
【００２２】
Ａ 混合物材料
Ｂ 棒状部品
Ｃ 球状部品
Ｅ 貴金属部材
Ｇ ブレスレット
１ 押出し機
２ スクュリュウ
３ ホッパ
４ ノズル
【図１】
2007196019.tif 000003
【図２】
2007196019.tif 000004
【図３】
2007196019.tif 000005
【図４】
2007196019.tif 000006
【図５】
2007196019.tif 000007
【図６】
2007196019.tif 000008